(57)【要約】【課題】ユーザが視聴を所望する映像を簡単且つ的確にモニタに出力する。【解決手段】デジタル放送受信機のＭＰＵ１１は、ビデオ信号入力端子１９１〜１９３に、それぞれ、ビデオ信号Ｓ１〜Ｓ３が入力されているか否かを判定する入力判定部１１１と、ビデオ信号入力端子１９１〜１９３から入力されるビデオ信号Ｓ１〜Ｓ３に対応する複数の画像情報を含み、１の画像としてディスプレイ１８３に表示する選択画像情報を生成する選択画像生成部１１４と、生成された選択画像情報をディスプレイ１８３に表示する画像表示部１１５と、表示された複数の画像の中から１の画像に対応するビデオ信号入力端子１９１〜１９３を選択する入力選択部１１７と、選択されたビデオ信号入力端子１９１〜１９３に対応する映像をディスプレイ１８３に出力する表示切換部１１８と、を備えている。【選択図】図４
2008131431.tif 000002
【特許請求の範囲】
【請求項１】
テレビジョン放送を受信し、外部から視認可能にモニタに出力可能に構成されると共に、２以上の予め設定された所定数のビデオ信号入力端子を備える放送受信装置であって、
前記所定数のビデオ信号入力端子の内、ビデオ信号が入力されているビデオ信号入力端子の識別情報を格納する入力記憶手段と、
予め設定された所定時間毎に、前記所定数のビデオ信号入力端子に、それぞれ、ビデオ信号が入力されているか否かを判定する入力判定手段と、
前記入力判定手段によって判定される度に、前記入力判定手段によってビデオ信号が入力されていると判定されたビデオ信号入力端子の識別情報が、前記外部入力記憶手段に格納されたビデオ信号入力端子の識別情報と一致しているか否かを判定する変化判定手段と、
前記変化判定手段によって一致していないと判定された場合に、前記入力記憶手段に格納されたビデオ信号入力端子の識別情報を、前記入力判定手段によってビデオ信号が入力されていると判定されたビデオ信号入力端子の識別情報に更新する更新手段と、
前記変化判定手段によって一致していないと判定され、且つ、前記入力判定手段によってビデオ信号が入力されていると判定されたビデオ信号入力端子が複数である場合に、前記入力判定手段によってビデオ信号が入力されていると判定されたビデオ信号入力端子から入力されるビデオ信号に対応する複数の画像情報を含み、１の画像として前記モニタに表示する選択画像情報を生成する選択画像生成手段と、
前記選択画像生成手段によって生成された選択画像情報を前記モニタに表示する画像表示手段と、
外部からの操作入力を受け付け、受け付けられた操作入力に基づいて、前記画像表示手段によって表示された複数の画像の中から１の画像に対応するビデオ信号入力端子を、前記モニタに出力するビデオ信号入力端子の候補として設定する候補設定手段と、
外部からの操作入力を受け付け、受け付けられた操作入力に基づいて、前記候補設定手段によって候補として設定されたビデオ信号入力端子を、前記モニタに出力するビデオ信号入力端子として選択する入力選択手段と、
前記入力選択手段によって選択されたビデオ信号入力端子から入力されたビデオ信号に対応する映像を前記モニタに出力する表示切換手段と、
を備え、
前記選択画像生成手段は、前記候補設定手段によって、候補として設定されたビデオ信号入力端子から入力されたビデオ信号に対応する画像を、他の画像と識別可能に表示する選択画像情報を生成すると共に、前記候補設定手段によって、候補として設定されたビデオ信号入力端子から入力されたビデオ信号に対応する動画像を表示する選択画像情報を生成し、
前記表示切換手段は、前記変化判定手段によって一致していないと判定され、且つ、前記入力判定手段によってビデオ信号が入力されていると判定されたビデオ信号入力端子が１つである場合に、前記入力判定手段によってビデオ信号が入力されていると判定されたビデオ信号入力端子から入力されたビデオ信号に対応する映像を前記モニタに出力することを特徴とする放送受信装置。
【請求項２】
テレビジョン放送を受信し、外部から視認可能にモニタに出力可能に構成されると共に、２以上の予め設定された所定数のビデオ信号入力端子を備える放送受信装置であって、
前記所定数のビデオ信号入力端子に、それぞれ、ビデオ信号が入力されているか否かを判定する入力判定手段と、
前記入力判定手段によってビデオ信号が入力されていると判定されたビデオ信号入力端子が複数である場合に、前記入力判定手段によってビデオ信号が入力されていると判定されたビデオ信号入力端子から入力されるビデオ信号に対応する複数の画像情報を含み、１の画像として前記モニタに表示する選択画像情報を生成する選択画像生成手段と、
前記選択画像生成手段によって生成された選択画像情報を前記モニタに表示する画像表示手段と、
外部からの操作入力を受け付け、受け付けられた操作入力に基づいて、前記画像表示手段によって表示された複数の画像の中から１の画像に対応するビデオ信号入力端子を選択する入力選択手段と、
前記入力選択手段によって選択されたビデオ信号入力端子から入力されたビデオ信号に対応する映像を前記モニタに出力する表示切換手段と、
を備えることを特徴とする放送受信装置。
【請求項３】
外部からの操作入力を受け付け、受け付けられた操作入力に基づいて、前記画像表示手段によって表示された複数の画像の中から１の画像に対応するビデオ信号入力端子を、前記入力選択手段によって選択されるビデオ信号入力端子の候補として設定する候補設定手段を備え、
前記画像表示手段は、前記候補設定手段によって、候補として設定されたビデオ信号入力端子から入力されたビデオ信号に対応する画像を、他の画像と識別可能に表示する選択画像情報を生成することを特徴とする請求項２に記載の放送受信装置。
【請求項４】
前記選択画像生成手段は、前記候補設定手段によって、候補として設定されたビデオ信号入力端子から入力されたビデオ信号に対応する動画像を表示する選択画像情報を生成することを特徴とする請求項２又は請求項３に記載の放送受信装置。
【請求項５】
前記入力判定手段は、該放送受信装置の電源が投入された場合、及び、該放送受信装置がスタンバイ状態から復帰された場合に、前記所定数のビデオ信号入力端子に、それぞれ、ビデオ信号が入力されているか否かを判定することを特徴とする請求項２〜請求項４のいずれかに記載の放送受信装置。
【請求項６】
前記所定数のビデオ信号入力端子の内、ビデオ信号が入力されているビデオ信号入力端子の識別情報を格納する入力記憶手段と、
前記入力判定手段によってビデオ信号が入力されていると判定されたビデオ信号入力端子の識別情報が、前記外部入力記憶手段に格納されたビデオ信号入力端子の識別情報と一致しているか否かを判定する変化判定手段と、
前記変化判定手段によって一致していないと判定された場合に、前記入力記憶手段に格納されたビデオ信号入力端子の識別情報を、前記入力判定手段によってビデオ信号が入力されていると判定されたビデオ信号入力端子の識別情報に更新する更新手段と、
を備え、
前記入力判定手段は、予め設定された所定時間毎に、前記所定数のビデオ信号入力端子に、それぞれ、ビデオ信号が入力されているか否かを判定し、
前記変化判定手段は、前記入力判定手段によって判定される度に、一致しているか否かを判定し、
前記選択画像生成手段は、前記変化判定手段によって一致していないと判定され、且つ、前記入力判定手段によってビデオ信号が入力されていると判定されたビデオ信号入力端子が複数である場合に、選択画像情報を生成することを特徴とする請求項２〜請求項４のいずれかに記載の放送受信装置。
【請求項７】
前記表示切換手段は、前記変化判定手段によって一致していないと判定され、且つ、前記入力判定手段によってビデオ信号が入力されていると判定されたビデオ信号入力端子が１つである場合に、前記入力判定手段によってビデオ信号が入力されていると判定されたビデオ信号入力端子から入力されたビデオ信号に対応する映像を前記モニタに出力することを特徴とする請求項６に記載の放送受信装置。
【請求項８】
テレビジョン放送を受信し、外部から視認可能にモニタに出力可能に構成されると共に、２以上の予め設定された所定数のビデオ信号入力端子を備える放送受信装置であって、
前記所定数のビデオ信号入力端子に、それぞれ、ビデオ信号が入力されているか否かを判定する入力判定手段と、
前記入力判定手段によってビデオ信号が入力されていると判定されたビデオ信号入力端子から入力されるビデオ信号に対応する画像情報と、テレビジョン放送に対応する画像情報と、を含み、１の画像として前記モニタに表示する選択画像情報を生成する選択画像生成手段と、
前記選択画像生成手段によって生成された選択画像情報を前記モニタに表示する画像表示手段と、
外部からの操作入力を受け付け、受け付けられた操作入力に基づいて、前記画像表示手段によって表示された画像の中から１の画像に対応するビデオ信号入力端子、又は、テレビジョン放送を選択する入力選択手段と、
前記入力選択手段によって選択されたビデオ信号入力端子から入力されたビデオ信号に対応する映像、又は、受信されたテレビジョン放送に対応する映像を前記モニタに出力する表示切換手段と、
を備えることを特徴とする放送受信装置。
【発明の詳細な説明】
【技術分野】
【０００１】
本発明は、テレビジョン放送を受信し、外部から視認可能にモニタに出力可能に構成されると共に、２以上の予め設定された所定数のビデオ信号入力端子を備える放送受信装置に関する。
【背景技術】
【０００２】
従来、テレビジョン放送を受信し、外部から視認可能にモニタに出力可能に構成されると共に、２以上の予め設定された所定数のビデオ信号入力端子を備える放送受信装置では、１のビデオ信号入力端子からのビデオ信号に対応する映像をモニタに出力するためには、リモートコントローラ等を介して、ユーザが所定数のビデオ信号入力端子から前記１のビデオ信号入力端子を選択する必要があり、操作が煩雑である場合があった。
【０００３】
この課題を解消するために、種々の装置が提案されている。例えば、ビデオ信号が入力されているビデオ信号入力端子を検出し、ビデオ信号が入力されているビデオ信号入力端子からの映像をモニタに出力するべく切り換える切換装置が開示されている（特許文献１参照）。
【特許文献１】特開平３−２３１５８２号公報
【発明の開示】
【発明が解決しようとする課題】
【０００４】
しかしながら、ビデオ信号入力端子が２以上の予め設定された所定数（例えば、８個）ある場合には、所定数のビデオ信号入力端子の内、複数のビデオ信号入力端子にビデオ信号が同時に入力されている場合があり、前記切換装置では、ユーザが視聴を所望する映像をモニタに出力することができない場合があった。この場合には、リモートコントローラ等を介して、ユーザが所定数のビデオ信号入力端子から１のビデオ信号入力端子を選択する必要があり、操作が煩雑である場合があった。
【０００５】
本発明は、上記課題に鑑みてなされたものであって、ユーザが視聴を所望する映像を簡単且つ的確にモニタに出力することの可能な放送受信装置を提供することを目的としている。
【課題を解決するための手段】
【０００６】
上記目的を達成するために請求項１に記載の放送受信装置は、テレビジョン放送を受信し、外部から視認可能にモニタに出力可能に構成されると共に、２以上の予め設定された所定数のビデオ信号入力端子を備える放送受信装置であって、前記所定数のビデオ信号入力端子の内、ビデオ信号が入力されているビデオ信号入力端子の識別情報を格納する入力記憶手段と、予め設定された所定時間毎に、前記所定数のビデオ信号入力端子に、それぞれ、ビデオ信号が入力されているか否かを判定する入力判定手段と、前記入力判定手段によって判定される度に、前記入力判定手段によってビデオ信号が入力されていると判定されたビデオ信号入力端子の識別情報が、前記外部入力記憶手段に格納されたビデオ信号入力端子の識別情報と一致しているか否かを判定する変化判定手段と、前記変化判定手段によって一致していないと判定された場合に、前記入力記憶手段に格納されたビデオ信号入力端子の識別情報を、前記入力判定手段によってビデオ信号が入力されていると判定されたビデオ信号入力端子の識別情報に更新する更新手段と、前記変化判定手段によって一致していないと判定され、且つ、前記入力判定手段によってビデオ信号が入力されていると判定されたビデオ信号入力端子が複数である場合に、前記入力判定手段によってビデオ信号が入力されていると判定されたビデオ信号入力端子から入力されるビデオ信号に対応する複数の画像情報を含み、１の画像として前記モニタに表示する選択画像情報を生成する選択画像生成手段と、前記選択画像生成手段によって生成された選択画像情報を前記モニタに表示する画像表示手段と、外部からの操作入力を受け付け、受け付けられた操作入力に基づいて、前記画像表示手段によって表示された複数の画像の中から１の画像に対応するビデオ信号入力端子を、前記モニタに出力するビデオ信号入力端子の候補として設定する候補設定手段と、外部からの操作入力を受け付け、受け付けられた操作入力に基づいて、前記候補設定手段によって候補として設定されたビデオ信号入力端子を、前記モニタに出力するビデオ信号入力端子として選択する入力選択手段と、前記入力選択手段によって選択されたビデオ信号入力端子から入力されたビデオ信号に対応する映像を前記モニタに出力する表示切換手段と、を備え、前記選択画像生成手段が、前記候補設定手段によって、候補として設定されたビデオ信号入力端子から入力されたビデオ信号に対応する画像を、他の画像と識別可能に表示する選択画像情報を生成すると共に、前記候補設定手段によって、候補として設定されたビデオ信号入力端子から入力されたビデオ信号に対応する動画像を表示する選択画像情報を生成し、前記表示切換手段が、前記変化判定手段によって一致していないと判定され、且つ、前記入力判定手段によってビデオ信号が入力されていると判定されたビデオ信号入力端子が１つである場合に、前記入力判定手段によってビデオ信号が入力されていると判定されたビデオ信号入力端子から入力されたビデオ信号に対応する映像を前記モニタに出力することを特徴としている。
【０００７】
請求項２に記載の放送受信装置は、テレビジョン放送を受信し、外部から視認可能にモニタに出力可能に構成されると共に、２以上の予め設定された所定数のビデオ信号入力端子を備える放送受信装置であって、前記所定数のビデオ信号入力端子に、それぞれ、ビデオ信号が入力されているか否かを判定する入力判定手段と、前記入力判定手段によってビデオ信号が入力されていると判定されたビデオ信号入力端子が複数である場合に、前記入力判定手段によってビデオ信号が入力されていると判定されたビデオ信号入力端子から入力されるビデオ信号に対応する複数の画像情報を含み、１の画像として前記モニタに表示する選択画像情報を生成する選択画像生成手段と、前記選択画像生成手段によって生成された選択画像情報を前記モニタに表示する画像表示手段と、外部からの操作入力を受け付け、受け付けられた操作入力に基づいて、前記画像表示手段によって表示された複数の画像の中から１の画像に対応するビデオ信号入力端子を選択する入力選択手段と、前記入力選択手段によって選択されたビデオ信号入力端子から入力されたビデオ信号に対応する映像を前記モニタに出力する表示切換手段と、を備えることを特徴としている。
【０００８】
請求項３に記載の放送受信装置は、請求項２に記載の放送受信装置であって、外部からの操作入力を受け付け、受け付けられた操作入力に基づいて、前記画像表示手段によって表示された複数の画像の中から１の画像に対応するビデオ信号入力端子を、前記入力選択手段によって選択されるビデオ信号入力端子の候補として設定する候補設定手段を備え、前記画像表示手段が、前記候補設定手段によって、候補として設定されたビデオ信号入力端子から入力されたビデオ信号に対応する画像を、他の画像と識別可能に表示する選択画像情報を生成することを特徴としている。
【０００９】
請求項４に記載の放送受信装置は、請求項２又は請求項３に記載の放送受信装置であって、前記選択画像生成手段が、前記候補設定手段によって、候補として設定されたビデオ信号入力端子から入力されたビデオ信号に対応する動画像を表示する選択画像情報を生成することを特徴としている。
【００１０】
請求項５に記載の放送受信装置は、請求項２〜請求項４のいずれかに記載の放送受信装置であって、前記入力判定手段が、該放送受信装置の電源が投入された場合、及び、該放送受信装置がスタンバイ状態から復帰された場合に、前記所定数のビデオ信号入力端子に、それぞれ、ビデオ信号が入力されているか否かを判定することを特徴としている。
【００１１】
請求項６に記載の放送受信装置は、請求項２〜請求項４のいずれかに記載の放送受信装置であって、前記所定数のビデオ信号入力端子の内、ビデオ信号が入力されているビデオ信号入力端子の識別情報を格納する入力記憶手段と、前記入力判定手段によってビデオ信号が入力されていると判定されたビデオ信号入力端子の識別情報が、前記外部入力記憶手段に格納されたビデオ信号入力端子の識別情報と一致しているか否かを判定する変化判定手段と、前記変化判定手段によって一致していないと判定された場合に、前記入力記憶手段に格納されたビデオ信号入力端子の識別情報を、前記入力判定手段によってビデオ信号が入力されていると判定されたビデオ信号入力端子の識別情報に更新する更新手段と、を備え、前記入力判定手段が、予め設定された所定時間毎に、前記所定数のビデオ信号入力端子に、それぞれ、ビデオ信号が入力されているか否かを判定し、前記変化判定手段が、前記入力判定手段によって判定される度に、一致しているか否かを判定し、前記選択画像生成手段が、前記変化判定手段によって一致していないと判定され、且つ、前記入力判定手段によってビデオ信号が入力されていると判定されたビデオ信号入力端子が複数である場合に、選択画像情報を生成することを特徴としている。
【００１２】
請求項７に記載の放送受信装置は、請求項６に記載の放送受信装置であって、前記表示切換手段が、前記変化判定手段によって一致していないと判定され、且つ、前記入力判定手段によってビデオ信号が入力されていると判定されたビデオ信号入力端子が１つである場合に、前記入力判定手段によってビデオ信号が入力されていると判定されたビデオ信号入力端子から入力されたビデオ信号に対応する映像を前記モニタに出力することを特徴としている。
【００１３】
請求項８に記載の放送受信装置は、テレビジョン放送を受信し、外部から視認可能にモニタに出力可能に構成されると共に、２以上の予め設定された所定数のビデオ信号入力端子を備える放送受信装置であって、前記所定数のビデオ信号入力端子に、それぞれ、ビデオ信号が入力されているか否かを判定する入力判定手段と、前記入力判定手段によってビデオ信号が入力されていると判定されたビデオ信号入力端子から入力されるビデオ信号に対応する画像情報と、テレビジョン放送に対応する画像情報と、を含み、１の画像として前記モニタに表示する選択画像情報を生成する選択画像生成手段と、前記選択画像生成手段によって生成された選択画像情報を前記モニタに表示する画像表示手段と、外部からの操作入力を受け付け、受け付けられた操作入力に基づいて、前記画像表示手段によって表示された画像の中から１の画像に対応するビデオ信号入力端子、又は、テレビジョン放送を選択する入力選択手段と、前記入力選択手段によって選択されたビデオ信号入力端子から入力されたビデオ信号に対応する映像、又は、受信されたテレビジョン放送に対応する映像を前記モニタに出力する表示切換手段と、を備えることを特徴としている。
【発明の効果】
【００１４】
請求項１に記載の放送受信装置によれば、ビデオ信号が入力されていると判定されたビデオ信号入力端子が複数である場合に、ビデオ信号が入力されていると判定されたビデオ信号入力端子から入力されるビデオ信号に対応する複数の画像情報を含み、１の画像としてモニタに表示する選択画像情報が生成される。また、生成された選択画像情報がモニタに表示され、外部からの操作入力が受け付けられ、受け付けられた操作入力に基づいて、表示された複数の画像の中から１の画像に対応するビデオ信号入力端子が選択される。そして、選択されたビデオ信号入力端子から入力されたビデオ信号に対応する映像がモニタに出力されるため、ユーザが視聴を所望する映像を簡単な操作でモニタに出力することができる。
【００１５】
すなわち、選択画像情報に含まれるビデオ信号に対応する複数の画像情報を視認することにより、視聴を所望する映像をモニタに表示される選択画像に含まれる画像情報を参照して選択することが可能となるため、ユーザが視聴を所望する映像を簡単且つ的確にモニタに出力することができるのである。
【００１６】
また、外部からの操作入力を受け付けられ、受け付けられた操作入力に基づいて、選択画像情報に含まれる複数の画像の中から１の画像に対応するビデオ信号入力端子が、モニタに表示されるビデオ信号入力端子の候補として設定され、候補として設定されたビデオ信号入力端子から入力されたビデオ信号に対応する画像を、他の画像と識別可能に表示する選択画像情報が生成されるため、ユーザが視聴を所望する映像を更に簡単且つ的確にモニタに出力することができる。
【００１７】
すなわち、候補として設定されたビデオ信号入力端子に対応する画像と、他のビデオ信号入力端子に対応する画像とが識別可能に表示されるため、候補として設定されたビデオ信号入力端子に対応する画像を視認することが可能となるので、ユーザが視聴を所望する映像を更に簡単且つ的確にモニタに出力することができるのである。
【００１８】
更に、候補として設定されたビデオ信号入力端子から入力されたビデオ信号に対応する動画像を表示する選択画像情報が生成されるため、選択画像情報において、候補として設定されたビデオ信号入力端子から入力されたビデオ信号に対応する画像に換えて動画像が表示されるので、ユーザが視聴を所望する映像を更に簡単且つ的確にモニタに出力することができる。
【００１９】
加えて、予め設定された所定時間毎に、所定数のビデオ信号入力端子に、それぞれ、ビデオ信号が入力されているか否かが判定され、判定される度に、ビデオ信号が入力されていると判定されたビデオ信号入力端子の識別情報が、格納されたビデオ信号入力端子の識別情報と一致しているか否かが判定される。そして一致していない（＝ビデオ信号が入力されているビデオ信号入力端子が変化している）と判定され、且つ、ビデオ信号が入力されていると判定されたビデオ信号入力端子が複数である場合に、選択画像情報が生成されるため、ビデオ信号が入力されているビデオ信号入力端子が変化していると判定され、且つ、ビデオ信号が入力されていると判定されたビデオ信号入力端子が複数である場合に、ユーザが視聴を所望する映像を簡単且つ的確にモニタに出力することができる。
【００２０】
すなわち、ビデオ信号が入力されているビデオ信号入力端子が変化していると判定され、且つ、ビデオ信号が入力されていると判定されたビデオ信号入力端子が複数である場合には、ビデオ信号が入力されていると判定された複数のビデオ信号入力端子の中から、モニタに出力するビデオ信号入力端子を選択する必要があるため、この場合にも、ユーザが視聴を所望する映像を簡単且つ的確にモニタに出力することができるのである。
【００２１】
また、ビデオ信号が入力されていると判定されたビデオ信号入力端子の識別情報が、格納されたビデオ信号入力端子の識別情報と一致していない（＝ビデオ信号が入力されているビデオ信号入力端子が変化している）と判定され、且つ、ビデオ信号が入力されていると判定されたビデオ信号入力端子が１つである場合に、ビデオ信号が入力されていると判定されたビデオ信号入力端子から入力されたビデオ信号に対応する映像がモニタに出力されるため、ユーザが視聴を所望する映像を簡単且つ的確にモニタに出力することができる。
【００２２】
請求項２に記載の放送受信装置によれば、ビデオ信号が入力されていると判定されたビデオ信号入力端子が複数である場合に、ビデオ信号が入力されていると判定されたビデオ信号入力端子から入力されるビデオ信号に対応する複数の画像情報を含み、１の画像としてモニタに表示する選択画像情報が生成される。また、生成された選択画像情報がモニタに表示され、外部からの操作入力が受け付けられ、受け付けられた操作入力に基づいて、表示された複数の画像の中から１の画像に対応するビデオ信号入力端子が選択される。そして、選択されたビデオ信号入力端子から入力されたビデオ信号に対応する映像がモニタに出力されるため、ユーザが視聴を所望する映像を簡単な操作でモニタに出力することができる。
【００２３】
すなわち、選択画像情報に含まれるビデオ信号に対応する複数の画像情報を視認することにより、視聴を所望する映像をモニタに表示される選択画像に含まれる画像情報を参照して選択することが可能となるため、ユーザが視聴を所望する映像を簡単且つ的確にモニタに出力することができるのである。
【００２４】
請求項３に記載の放送受信装置によれば、外部からの操作入力を受け付けられ、受け付けられた操作入力に基づいて、選択画像情報に含まれる複数の画像の中から１の画像に対応するビデオ信号入力端子が、モニタに表示されるビデオ信号入力端子の候補として設定され、候補として設定されたビデオ信号入力端子から入力されたビデオ信号に対応する画像を、他の画像と識別可能に表示する選択画像情報が生成されるため、ユーザが視聴を所望する映像を更に簡単且つ的確にモニタに出力することができる。
【００２５】
すなわち、候補として設定されたビデオ信号入力端子に対応する画像と、他のビデオ信号入力端子に対応する画像とが識別可能に表示されるため、候補として設定されたビデオ信号入力端子に対応する画像を視認することが可能となるので、ユーザが視聴を所望する映像を更に簡単且つ的確にモニタに出力することができるのである。
【００２６】
請求項４に記載の放送受信装置によれば、候補として設定されたビデオ信号入力端子から入力されたビデオ信号に対応する動画像を表示する選択画像情報が生成されるため、選択画像情報において、候補として設定されたビデオ信号入力端子から入力されたビデオ信号に対応する画像に換えて動画像が表示されるので、ユーザが視聴を所望する映像を更に簡単且つ的確にモニタに出力することができる。
【００２７】
請求項５に記載の放送受信装置によれば、放送受信装置の電源が投入された場合、及び、放送受信装置がスタンバイ状態から復帰された場合に、所定数のビデオ信号入力端子に、それぞれ、ビデオ信号が入力されているか否かが判定されるため、放送受信装置の電源が投入された場合、及び、放送受信装置がスタンバイ状態から復帰された場合に、ユーザが視聴を所望する映像を簡単且つ的確にモニタに出力することができる。
【００２８】
請求項６に記載の放送受信装置によれば、予め設定された所定時間毎に、所定数のビデオ信号入力端子に、それぞれ、ビデオ信号が入力されているか否かが判定され、判定される度に、ビデオ信号が入力されていると判定されたビデオ信号入力端子の識別情報が、格納されたビデオ信号入力端子の識別情報と一致しているか否かが判定される。そして一致していない（＝ビデオ信号が入力されているビデオ信号入力端子が変化している）と判定され、且つ、ビデオ信号が入力されていると判定されたビデオ信号入力端子が複数である場合に、選択画像情報が生成されるため、ビデオ信号が入力されているビデオ信号入力端子が変化していると判定され、且つ、ビデオ信号が入力されていると判定されたビデオ信号入力端子が複数である場合に、ユーザが視聴を所望する映像を簡単且つ的確にモニタに出力することができる。
【００２９】
すなわち、ビデオ信号が入力されているビデオ信号入力端子が変化していると判定され、且つ、ビデオ信号が入力されていると判定されたビデオ信号入力端子が複数である場合には、ビデオ信号が入力されていると判定された複数のビデオ信号入力端子の中から、モニタに出力するビデオ信号入力端子を選択する必要があるため、この場合にも、ユーザが視聴を所望する映像を簡単且つ的確にモニタに出力することができるのである。
【００３０】
請求項７に記載の放送受信装置によれば、ビデオ信号が入力されていると判定されたビデオ信号入力端子の識別情報が、格納されたビデオ信号入力端子の識別情報と一致していない（＝ビデオ信号が入力されているビデオ信号入力端子が変化している）と判定され、且つ、ビデオ信号が入力されていると判定されたビデオ信号入力端子が１つである場合に、ビデオ信号が入力されていると判定されたビデオ信号入力端子から入力されたビデオ信号に対応する映像がモニタに出力されるため、ユーザが視聴を所望する映像を簡単且つ的確にモニタに出力することができる。
【００３１】
請求項８に記載の放送受信装置によれば、所定数のビデオ信号入力端子に、それぞれ、ビデオ信号が入力されているか否かが判定され、ビデオ信号が入力されていると判定されたビデオ信号入力端子から入力されるビデオ信号に対応する画像情報と、テレビジョン放送に対応する画像情報と、を含み、１の画像としてモニタに表示する選択画像情報が生成される。また、生成された選択画像情報がモニタに表示され、外部からの操作入力が受け付けられ、受け付けられた操作入力に基づいて、表示された画像の中から１の画像に対応するビデオ信号入力端子、又は、テレビジョン放送が選択され、選択されたビデオ信号入力端子から入力されたビデオ信号に対応する映像、又は、受信されたテレビジョン放送に対応する映像がモニタに出力されるため、ユーザが視聴を所望する映像を簡単且つ的確にモニタに出力することができる。
【００３２】
すなわち、選択画像情報に含まれるビデオ信号又はテレビジョン放送に対応する複数の画像情報を視認することにより、視聴を所望する映像をモニタに表示される選択画像に含まれる画像情報を参照して選択することが可能となるため、ユーザが視聴を所望する映像を簡単且つ的確にモニタに出力することができるのである。
【発明を実施するための最良の形態】
【００３３】
以下に本発明の実施形態を、図面を参照しながら説明する。図１は、本発明に係るデジタル放送受信機の接続状態の一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されると共に、複数の（ここでは、３台の）外部装置３からビデオ信号を受信可能に接続されている。
【００３４】
デジタル放送受信機１は、リモコン２を介してユーザからの操作入力を受け付けて、テレビジョン放送を受信し、図２を用いて後述するディスプレイ１８３に出力可能に構成される共に、図２を用いて後述するスピーカ１６３を介して音声を出力可能に構成されている。また、デジタル放送受信機１は、外部装置３からビデオ信号を受信して、図２を用いて後述するディスプレイ１８３に出力可能に構成される共に、図２を用いて後述するスピーカ１６３を介して音声を出力可能に構成されている。
【００３５】
リモコン２（候補設定手段の一部、入力選択手段の一部に相当する）は、ユーザからの操作入力を受け付けて、操作入力に対応する赤外線信号を生成して、デジタル放送受信機１に対して出力するものである。
【００３６】
外部装置３は、ここでは、ビデオテーププレイヤ３１、ＤＶＤ（Ｄｉｇｉｔａｌ  Ｖｅｒｓａｔｉｌｅ  Ｄｉｓｋ）プレイヤ３２、ゲーム装置３３を備え、デジタル放送受信機１に対して、それぞれ、ビデオ信号を出力可能に構成されている。ビデオテーププレイヤ３１は、ビデオテープに格納された映像情報を読み出して、デジタル放送受信機１に対してビデオ信号を出力するものである。ＤＶＤプレイヤ３２、及び、ゲーム装置３３は、それぞれ、ＤＶＤに格納された映像情報を読み出して、デジタル放送受信機１に対してビデオ信号を出力するものである。
【００３７】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、インターフェイス部１９を備えている。
【００３８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３９】
操作部１４は、電源のＯＮ、ＯＦＦ操作、選局、外部入力の選択等の各種操作を受け付けるものである。また、操作部１４は、赤外線通信を介して、リモコン２からの操作信号を受け付けて、各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４１】
音声出力部１６は、受信部１５によって受信されたテレビジョン放送（又は、外部装置３に格納された情報）に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００４２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００４３】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００４４】
インターフェイス部１９は、外部装置３（＝ビデオテーププレイヤ３１、ＤＶＤプレイヤ３２、ゲーム装置３３）からの映像情報等の種々の情報を受け付けるものである。また、インターフェイス部１９は、図３を用いて後述するように、ビデオ信号入力端子を介してビデオテーププレイヤ３１、ＤＶＤプレイヤ３２、及びゲーム装置３３から入力された映像情報から、ＭＰＵ１１（図４を用いて後述する表示切換部１１８）からの指示情報に基づいて１の映像情報を選択し、ディスプレイ１８３に対して出力するものである。
【００４５】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００４６】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００４７】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００４８】
図３は、図２に示すインターフェイス部１９の構成の一例を示すブロック図である。インターフェイス部１９は、ビデオ信号入力端子１９１〜１９３、及び、入力切換回路１９４を備えている。ビデオ信号入力端子１９１〜１９３は、それぞれ、ビデオテーププレイヤ３１、ＤＶＤプレイヤ３２、ゲーム装置３３からのビデオ信号Ｓ１〜Ｓ３を受け付けて、入力切換回路１９４及びＭＰＵ１１（図４を用いて後述する入力判定部１１１、選択画像生成部１１４）に対して出力するものである。
【００４９】
入力切換回路１９４（表示切換手段の一部に相当する）は、ビデオ信号入力端子１９１〜１９３を介して、ビデオテーププレイヤ３１、ＤＶＤプレイヤ３２、及びゲーム装置３３からのビデオ信号Ｓ１〜Ｓ３を受け付けると共に、図２に示す受信部１５を介してデジタル放送に対応するビデオ信号Ｓ０を受け付けるものである。また、入力切換回路１９４は、受け付けられたビデオ信号Ｓ０〜Ｓ３の中から、ＭＰＵ１１（図４を用いて後述する表示切換部１１８）からの指示情報に基づいて、１のビデオ信号を選択してディスプレイ１８３に対して出力するものである。
【００５０】
図４は、本発明に係るデジタル放送受信機１の主要部の構成の一例を示すブロック図である。図２に示すＭＰＵ１１は、機能的に、入力判定部１１１、変化判定部１１２、更新部１１３、選択画像生成部１１４、画像表示部１１５、候補設定部１１６、入力選択部１１７、及び、表示切換部１１８を備えている。また、図２に示すＲＡＭ１２は、機能的に、入力記憶部１２１を備えている。
【００５１】
ここでは、ＭＰＵ１１が、図２に示すＲＯＭ１３等に予め格納された制御プログラムを読み出して実行することにより、入力判定部１１１、変化判定部１１２、更新部１１３、選択画像生成部１１４、画像表示部１１５、候補設定部１１６、入力選択部１１７、表示切換部１１８等の機能部として機能すると共に、ＲＡＭ１２を、入力記憶部１２１として機能させるものである。
【００５２】
また、図２に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００５３】
入力記憶部１２１は、所定数（ここでは３個）のビデオ信号入力端子１９１〜１９３の内、ビデオ信号Ｓ１〜Ｓ３が入力されているビデオ信号入力端子１９１〜１９３の識別情報を格納するものである。なお、入力記憶部１２１に格納されたビデオ信号入力端子１９１〜１９３の識別情報は、更新部１１３によって書き換えられるものである。
【００５４】
入力判定部１１１（入力判定手段に相当する）は、予め設定された所定時間（例えば、１０秒）毎に、所定数（ここでは３個）のビデオ信号入力端子１９１〜１９３に、それぞれ、ビデオ信号Ｓ１〜Ｓ３が入力されているか否かを判定するものである。
【００５５】
変化判定部１１２（変化判定手段に相当する）は、入力判定部１１１によって判定される度に（すなわち、ここでは、１０秒毎に）、入力判定部１１１によってビデオ信号Ｓ１〜Ｓ３が入力されていると判定されたビデオ信号入力端子１９１〜１９３の識別情報（ビデオ信号入力端子１９１〜１９３の識別情報としては、例えば、それぞれ「Ａ」、「Ｂ」、「Ｃ」が予め設定されている）と、入力記憶部１２１  １２１に格納されたビデオ信号入力端子１９１〜１９３の識別情報と一致しているか否かを判定するものである。
【００５６】
更新部１１３（更新手段に相当する）は、変化判定部１１２によって、入力判定部１１１によりビデオ信号Ｓ１〜Ｓ３が入力されていると判定されたビデオ信号入力端子１９１〜１９３の識別情報と、入力記憶部１２１  １２１に格納されたビデオ信号入力端子１９１〜１９３の識別情報とが一致していない（＝ビデオ信号Ｓ１〜Ｓ３が入力されているビデオ信号入力端子１９１〜１９３が変化している）と判定された場合に、入力記憶部１２１に格納されたビデオ信号入力端子１９１〜１９３の識別情報を、入力判定部１１１によってビデオ信号Ｓ１〜Ｓ３が入力されていると判定されたビデオ信号入力端子１９１〜１９３の識別情報に更新するものである。
【００５７】
選択画像生成部１１４（選択画像生成手段に相当する）は、変化判定部１１２によって、入力判定部１１１によりビデオ信号Ｓ１〜Ｓ３が入力されていると判定されたビデオ信号入力端子１９１〜１９３の識別情報と、入力記憶部１２１  １２１に格納されたビデオ信号入力端子１９１〜１９３の識別情報とが一致していない（＝ビデオ信号Ｓ１〜Ｓ３が入力されているビデオ信号入力端子１９１〜１９３が変化している）と判定され、且つ、入力判定部１１１によってビデオ信号Ｓ１〜Ｓ３が入力されていると判定されたビデオ信号入力端子１９１〜１９３が複数である場合に、入力判定部１１１によってビデオ信号が入力されていると判定されたビデオ信号入力端子１９１〜１９３から入力されるビデオ信号Ｓ１〜Ｓ３に対応する複数の画像情報を含み、１の画像としてディスプレイ１８３に表示する選択画像情報（図６参照）を生成するものである。
【００５８】
ここで、選択画像生成部１１４によって生成される選択画像情報は、候補設定部１１６及び入力選択部１１７によってディスプレイ１８３に表示するビデオ信号Ｓ１〜Ｓ３を選択する場合に、ディスプレイ１８３にガイダンス情報として表示される選択画面（図６参照）に関する情報である。
【００５９】
また、選択画像生成部１１４は、候補設定部１１６によって、候補として設定されたビデオ信号入力端子１９１〜１９３から入力されたビデオ信号Ｓ１〜Ｓ３に対応する画像を、他の画像と識別可能に表示する選択画像情報を生成すると共に、候補設定部１１６によって、候補として設定されたビデオ信号入力端子１９１〜１９３から入力されたビデオ信号Ｓ１〜Ｓ３に対応する動画像を表示する選択画像情報を生成するものである。
【００６０】
更に、選択画像生成部１１４は、入力判定部１１１によってビデオ信号が入力されていると判定されたビデオ信号入力端子１９１〜１９３から入力されるビデオ信号Ｓ１〜Ｓ３に対応する複数の画像（又は動画像）に対応付けて、それぞれ画像（又は動画像）に対応するビデオ信号入力端子１９１〜１９３の名称情報（ここでは、「端子１９１」等）を文字情報として表示する選択画像情報を生成するものである。
【００６１】
例えば、ビデオ信号入力端子１９１からのビデオ信号Ｓ１が入力されており、ディスプレイ１８３にビデオ信号Ｓ１に対応する映像が表示されている状態で、ビデオ信号入力端子１９２からのビデオ信号Ｓ２が入力された場合には、後述する図６（ｂ）に示すように、ビデオ信号Ｓ１に対応する動画像と、ビデオ信号Ｓ２に対応する画像と、を１の画像としてディスプレイ１８３に表示する選択画像情報が生成される。また、ビデオ信号Ｓ１に対応する動画像の下方には、この動画像が出力されているビデオ信号入力端子１９１〜１９３の名称情報を「端子１９１」として表示すると共に、ビデオ信号Ｓ２に対応する画像の下方には、この画像が出力されているビデオ信号入力端子１９１〜１９３の名称情報を「端子１９２」として表示する選択画像情報が生成される。
【００６２】
画像表示部１１５（画像表示手段に相当する）は、選択画像生成部１１４によって生成された選択画像情報をディスプレイ１８３に選択画面として表示するものである。
【００６３】
候補設定部１１６（候補設定手段の一部に相当する）は、図２に示す操作部１４及び図１に示すリモコン２を介して、ユーザからの操作入力を受け付け、受け付けられた操作入力に基づいて、画像表示部１１５によって表示された複数の画像（又は動画像）の中から１の画像（又は動画像）に対応するビデオ信号入力端子１９１〜１９３を、ディスプレイ１８３に出力するビデオ信号入力端子１９１〜１９３の候補として設定するものである。
【００６４】
例えば、候補設定部１１６は、リモコン２に配設され、上下左右の各方向に候補設定状態を移動する場合に押下される方向キーを介してユーザからの操作入力を受け付けるものである。候補設定部１１６は、例えば、右方向の方向キーが押下された場合には、候補設定状態を現在設定されている画像（又は動画像）の右側の画像（又は動画像）に移動させる（＝右側の画像（又は動画像）が候補として設定されている状態に変更する）ものである。
【００６５】
入力選択部１１７（入力選択手段の一部に相当する）は、図２に示す操作部１４及び図１に示すリモコン２を介して、ユーザからの操作入力を受け付け、受け付けられた操作入力に基づいて、候補設定部１１６によって候補として設定されたビデオ信号入力端子１９１〜１９３を、ディスプレイ１８３に出力するビデオ信号入力端子１９１〜１９３として選択するものである。
【００６６】
例えば、入力選択部１１７は、リモコン２に配設され、選択を決定する場合に押下される決定キーを介してユーザからの操作入力を受け付けるものである。すなわち、入力選択部１１７は、決定キーが押下された場合に、画像表示部１１５によって表示された複数の画像（又は動画像）の中から候補設定部１１６によって候補として設定されている１の画像（又は動画像）をディスプレイ１８３に出力するビデオ信号入力端子１９１〜１９３として選択するものである。
【００６７】
表示切換部１１８（表示切換手段の一部に相当する）は、インターフェイス部１９（＝入力切換回路１９４）を介して、入力選択部１１７によって選択されたビデオ信号入力端子１９１〜１９３から入力されたビデオ信号Ｓ１〜Ｓ３に対応する映像をディスプレイ１８３に出力するものである。すなわち、表示切換部１１８は、入力選択部１１７によって選択されたビデオ信号入力端子１９１〜１９３に対応する映像をディスプレイ１８３に出力するべく、入力切換回路１９４に対して切換信号を出力するものである。
【００６８】
また、表示切換部１１８は、変化判定部１１２によって、入力判定部１１１によりビデオ信号Ｓ１〜Ｓ３が入力されていると判定されたビデオ信号入力端子１９１〜１９３の識別情報と、入力記憶部１２１  １２１に格納されたビデオ信号入力端子１９１〜１９３の識別情報とが一致していない（＝ビデオ信号Ｓ１〜Ｓ３が入力されているビデオ信号入力端子１９１〜１９３が変化している）と判定され、且つ、入力判定部１１１によってビデオ信号Ｓ１〜Ｓ３が入力されていると判定されたビデオ信号入力端子１９１〜１９３が１つである場合に、入力判定部１１１によってビデオ信号Ｓ１〜Ｓ３が入力されていると判定されたビデオ信号入力端子１９１〜１９３から入力されたビデオ信号Ｓ１〜Ｓ３に対応する映像をディスプレイ１８３に出力するものである。
【００６９】
例えば、ビデオ信号入力端子１９１からのビデオ信号Ｓ１及びビデオ信号Ｓ２が入力されており、ディスプレイ１８３にビデオ信号Ｓ１に対応する映像が表示されている状態で、ビデオ信号入力端子１９２からのビデオ信号Ｓ１が入力されなくなった場合には、表示切換部１１８は、ビデオ信号Ｓ１に対応する映像に換えてビデオ信号Ｓ２に対応する映像をディスプレイ１８３に表示するべく、入力切換回路１９４に対して切換信号を出力するものである。
【００７０】
図５は、デジタル放送受信機１（主にＭＰＵ１１）の動作の一例を示すフローチャートである。まず、入力判定部１１１によって所定時間（ここでは、１０秒）が経過したか否かの判定が行われる（Ｓ１０１）。１０秒が経過していないと判定された場合（Ｓ１０１でＮＯ）には、処理が待機状態とされる。１０秒が経過したと判定された場合（Ｓ１０１でＹＥＳ）には、変化判定部１１２によって、ビデオ信号Ｓ１〜Ｓ３が入力されているビデオ信号入力端子１９１〜１９３が変化しているか否かの判定が行われる（Ｓ１０３）。
【００７１】
ビデオ信号Ｓ１〜Ｓ３が入力されているビデオ信号入力端子１９１〜１９３が変化していないと判定された場合（Ｓ１０３でＮＯ）には、処理がステップＳ１０１に戻され、ステップＳ１０１以降の処理が繰り返し実行される。ビデオ信号Ｓ１〜Ｓ３が入力されているビデオ信号入力端子１９１〜１９３が変化したと判定された場合（Ｓ１０３でＹＥＳ）には、更新部１１３によって、入力記憶部１２１に格納されたビデオ信号入力端子１９１〜１９３の識別情報が、入力判定部１１１によってビデオ信号Ｓ１〜Ｓ３が入力されていると判定されたビデオ信号入力端子１９１〜１９３の識別情報に更新される（Ｓ１０５）。
【００７２】
そして、選択画像生成部１１４によって、入力判定部１１１によりビデオ信号Ｓ１〜Ｓ３が入力されていると判定されたビデオ信号入力端子１９１〜１９３が複数であるか否かの判定が行われる（Ｓ１０７）。ビデオ信号Ｓ１〜Ｓ３が入力されているビデオ信号入力端子１９１〜１９３が複数ではない（＝１つである）と判定された場合（Ｓ１０７でＮＯ）には、表示切換部１１８によって、ビデオ信号Ｓ１〜Ｓ３が入力されていると判定されたビデオ信号入力端子１９１〜１９３から入力されたビデオ信号Ｓ１〜Ｓ３に対応する映像が、ディスプレイ１８３に表示するビデオ信号Ｓ１〜Ｓ３として選択され（Ｓ１０９）、処理がステップＳ１１９に進められる。
【００７３】
ビデオ信号Ｓ１〜Ｓ３が入力されているビデオ信号入力端子１９１〜１９３が複数であると判定された場合（Ｓ１０７でＹＥＳ）には、選択画像生成部１１４によって、選択画像情報が生成され、画像表示部１１５によって選択画像情報がディスプレイ１８３に選択画面として表示される（Ｓ１１１）。そして、候補設定部１１６によって、ディスプレイ１８３に出力するビデオ信号入力端子１９１〜１９３の候補を設定する操作入力が受け付けられたか否かの判定が行われる（Ｓ１１３）。候補を設定する操作入力が受け付けられていないと判定された場合（Ｓ１１３でＮＯ）には、処理が待機状態とされる。
【００７４】
候補を設定する操作入力が受け付けられたと判定された場合（Ｓ１１３でＹＥＳ）には、選択画像生成部１１４によって、候補として設定されたビデオ信号Ｓ１〜Ｓ３に対応する動画像を表示する選択画像情報が生成され、画像表示部１１５によって選択画像情報がディスプレイ１８３に選択画面として表示される（Ｓ１１５）。次に、入力選択部１１７によって、ディスプレイ１８３に出力するビデオ信号入力端子１９１〜１９３を選択する操作入力が受け付けられたか否かの判定が行われる（Ｓ１１７）。ディスプレイ１８３に出力するビデオ信号入力端子１９１〜１９３を選択する操作入力が受け付けられていないと判定された場合（Ｓ１１７でＮＯ）には、処理がステップＳ１１３に戻され、ステップＳ１１３以降の処理が繰り返し実行される。
【００７５】
ディスプレイ１８３に出力するビデオ信号入力端子１９１〜１９３を選択する操作入力が受け付けられたと判定された場合（Ｓ１１７でＹＥＳ）、又は、ステップＳ１０９の処理が完了した場合には、表示切換部１１８によって、選択されたビデオ信号入力端子１９１〜１９３に対応する映像をディスプレイ１８３に出力するべく、入力切換回路１９４に対して切換信号を出力され（Ｓ１１９）、処理が終了される。
【００７６】
図６は、選択画像生成部１１４によって生成される選択画像情報に対応する選択画像が表示された選択画像表示画面の一例を示す画面図である。（ａ）は、ビデオ信号入力端子１９１からのビデオ信号Ｓ１が入力されており、ビデオ信号入力端子１９２、１９３からはビデオ信号Ｓ２、Ｓ３が入力されていない状態の画面図である。この状態では、ビデオ信号Ｓ１に対応する映像がディスプレイ１８３に表示されている。
【００７７】
（ｂ）は、（ａ）の状態から、ビデオ信号入力端子１９２からのビデオ信号Ｓ２が入力された場合の選択画像表示画面の一例を示す画面図である。この場合には、選択画像表示画面として、画面左側に、ビデオ信号入力端子１９１からのビデオ信号Ｓ１に対応する動画像が表示され、画面右側に、ビデオ信号入力端子１９２からのビデオ信号Ｓ２に対応する画像が表示されている。また、ビデオ信号入力端子１９１からのビデオ信号Ｓ１がデフォールトとして候補として設定されている状態を示す太枠がビデオ信号Ｓ１に対応する動画像の外側に生成されている。更に、ビデオ信号Ｓ１に対応する動画像、及び、ビデオ信号Ｓ２に対応する画像の下側には、それぞれの画像（又は動画像）がビデオ信号入力端子１９１及びビデオ信号入力端子１９２からのビデオ信号Ｓ１、Ｓ２に対応するものであることを示すビデオ信号入力端子１９１、１９２の名称情報（ここでは、「端子１９１」等）が表示されている。ユーザは、（ｂ）に示す選択画像表示画面によって、ビデオ信号入力端子１９１が候補として設定されていることを認識することができる。
【００７８】
（ｃ）は、（ｂ）の状態から、候補設定部１１６によって、ビデオ信号入力端子１９２がディスプレイ１８３に出力するビデオ信号入力端子１９１〜１９３の候補として設定された場合の選択画像表示画面の一例を示す画面図である。この場合には、選択画像表示画面として、画面左側に、ビデオ信号入力端子１９１からのビデオ信号Ｓ１に対応する画像が表示され、画面右側に、ビデオ信号入力端子１９２からのビデオ信号Ｓ２に対応する動画像が表示されている。また、ビデオ信号入力端子１９２からのビデオ信号Ｓ２が候補として設定されている状態を示す太枠がビデオ信号Ｓ２に対応する動画像の外側に生成されている。更に、ビデオ信号Ｓ１に対応する画像、及び、ビデオ信号Ｓ２に対応する動画像の下側には、それぞれの画像（又は動画像）がビデオ信号入力端子１９１及びビデオ信号入力端子１９２からのビデオ信号Ｓ１、Ｓ２に対応するものであることを示すビデオ信号入力端子１９１、１９２の名称情報（ここでは、「端子１９１」等）が表示されている。ユーザは、（ｃ）に示す選択画像表示画面によって、ビデオ信号入力端子１９２が候補として設定されていることを認識することができる。更に、ビデオ信号入力端子１９２からのビデオ信号Ｓ２に対応する動画像が表示されるため、ビデオ信号入力端子１９２からのビデオ信号Ｓ２の内容を詳細に確認することができる。
【００７９】
（ｄ）は、（ｃ）の状態から、入力選択部１１７によって、ビデオ信号入力端子１９２がディスプレイ１８３に出力するビデオ信号入力端子１９１〜１９３として選択された場合の画面図である。この場合には、ビデオ信号Ｓ２に対応する映像がディスプレイ１８３に表示されている。
【００８０】
（ｅ）は、（ｄ）の状態から、ビデオ信号入力端子１９３からのビデオ信号Ｓ３が更に入力された場合の選択画像表示画面の一例を示す画面図である。この場合には、選択画像表示画面として、画面左上側に、ビデオ信号入力端子１９１からのビデオ信号Ｓ１に対応する画像が表示され、画面右上側に、ビデオ信号入力端子１９２からのビデオ信号Ｓ２に対応する動画像が表示され、画面右下側に、ビデオ信号入力端子１９３からのビデオ信号Ｓ３に対応する画像が表示されている。また、ビデオ信号入力端子１９２からのビデオ信号Ｓ２がデフォールトとして候補として設定されている状態を示す太枠がビデオ信号Ｓ２に対応する動画像の外側に生成されている。更に、ビデオ信号Ｓ１に対応する画像、ビデオ信号Ｓ２に対応する動画像、及び、ビデオ信号Ｓ３に対応する画像の下側には、それぞれの画像（又は動画像）がビデオ信号入力端子１９１、１９２及びビデオ信号入力端子１９３からのビデオ信号Ｓ１、Ｓ２、Ｓ３に対応するものであることを示すビデオ信号入力端子１９１、１９２、１９３の名称情報（ここでは、「端子１９１」等）が表示されている。ユーザは、（ｂ）に示す選択画像表示画面によって、ビデオ信号入力端子１９２が候補として設定されていることを認識することができる。
【００８１】
（ｆ）は、（ｅ）の状態から、候補設定部１１６によって、ビデオ信号入力端子１９３がディスプレイ１８３に出力するビデオ信号入力端子１９１〜１９３の候補として設定された場合の選択画像表示画面の一例を示す画面図である。この場合には、選択画像表示画面として、画面左上側に、ビデオ信号入力端子１９１からのビデオ信号Ｓ１に対応する画像が表示され、画面右上側に、ビデオ信号入力端子１９２からのビデオ信号Ｓ２に対応する画像が表示され、画面左下側に、ビデオ信号入力端子１９３からのビデオ信号Ｓ３に対応する動画像が表示されている。また、ビデオ信号入力端子１９３からのビデオ信号Ｓ３が候補として設定されている状態を示す太枠がビデオ信号Ｓ３に対応する動画像の外側に生成されている。更に、ビデオ信号Ｓ１に対応する画像、ビデオ信号Ｓ２に対応する画像、及び、ビデオ信号Ｓ３に対応する動画像の下側には、それぞれの画像（又は動画像）がビデオ信号入力端子１９１、１９２及びビデオ信号入力端子１９３からのビデオ信号Ｓ１、Ｓ２、Ｓ３に対応するものであることを示すビデオ信号入力端子１９１、１９２、１９３の名称情報（ここでは、「端子１９１」等）が表示されている。ユーザは、（ｆ）に示す選択画像表示画面によって、ビデオ信号入力端子１９３が候補として設定されていることを認識することができる。更に、ビデオ信号入力端子１９３からのビデオ信号Ｓ３に対応する動画像が表示されるため、ビデオ信号入力端子１９３からのビデオ信号Ｓ３の内容を詳細に確認することができる。
【００８２】
このようにして、ビデオ信号Ｓ１〜Ｓ３が入力されていると判定されたビデオ信号入力端子１９１〜１９３が複数である場合に、ビデオ信号Ｓ１〜Ｓ３が入力されていると判定されたビデオ信号入力端子１９１〜１９３から入力されるビデオ信号Ｓ１〜Ｓ３に対応する複数の画像情報を含み、１の画像としてディスプレイ１８３に表示する選択画像情報が生成される。また、生成された選択画像情報がディスプレイ１８３に表示され、リモコン２を介してユーザからの操作入力が受け付けられ、受け付けられた操作入力に基づいて、表示された複数の画像の中から１の画像に対応するビデオ信号入力端子１９１〜１９３が選択される。そして、選択されたビデオ信号入力端子１９１〜１９３から入力されたビデオ信号Ｓ１〜Ｓ３に対応する映像がディスプレイ１８３に出力されるため、ユーザが視聴を所望する映像を簡単な操作でディスプレイ１８３に出力することができる。
【００８３】
すなわち、選択画像情報に含まれるビデオ信号Ｓ１〜Ｓ３に対応する複数の画像情報を視認することにより、視聴を所望する映像をディスプレイ１８３に表示される選択画像に含まれる画像情報を参照して選択することが可能となるため、ユーザが視聴を所望する映像を簡単且つ的確にディスプレイ１８３に出力することができるのである。
【００８４】
また、リモコン２を介してユーザからの操作入力を受け付けられ、受け付けられた操作入力に基づいて、選択画像情報に含まれる複数の画像の中から１の画像に対応するビデオ信号入力端子１９１〜１９３が、ディスプレイ１８３に表示されるビデオ信号入力端子１９１〜１９３の候補として設定され、候補として設定されたビデオ信号入力端子１９１〜１９３から入力されたビデオ信号Ｓ１〜Ｓ３に対応する画像を、他の画像と識別可能に表示する選択画像情報が生成される（ここでは、図６に示すように、画像の外側に太枠が生成される）ため、ユーザが視聴を所望する映像を更に簡単且つ的確にディスプレイ１８３に出力することができる。
【００８５】
すなわち、候補として設定されたビデオ信号入力端子１９１〜１９３に対応する画像と、他のビデオ信号入力端子１９１〜１９３に対応する画像とが識別可能に表示される（ここでは、図６に示すように、画像の外側に太枠が生成される）ため、候補として設定されたビデオ信号入力端子１９１〜１９３に対応する画像を視認することが可能となるので、ユーザが視聴を所望する映像を更に簡単且つ的確にディスプレイ１８３に出力することができるのである。
【００８６】
更に、候補として設定されたビデオ信号入力端子１９１〜１９３から入力されたビデオ信号Ｓ１〜Ｓ３に対応する動画像を表示する選択画像情報が生成されるため、選択画像情報において、候補として設定されたビデオ信号入力端子１９１〜１９３から入力されたビデオ信号Ｓ１〜Ｓ３に対応する画像に換えて動画像が表示されるので、ユーザが視聴を所望する映像を更に簡単且つ的確にディスプレイ１８３に出力することができる。
【００８７】
加えて、予め設定された所定時間（ここでは、１０秒）毎に、所定数（ここでは、３個）のビデオ信号入力端子１９１〜１９３に、それぞれ、ビデオ信号Ｓ１〜Ｓ３が入力されているか否かが判定され、判定される度に、ビデオ信号Ｓ１〜Ｓ３が入力されていると判定されたビデオ信号入力端子１９１〜１９３の識別情報が、格納されたビデオ信号入力端子の１９１〜１９３識別情報と一致しているか否かが判定される。そして一致していない（＝ビデオ信号Ｓ１〜Ｓ３が入力されているビデオ信号入力端子１９１〜１９３が変化している）と判定され、且つ、ビデオ信号Ｓ１〜Ｓ３が入力されていると判定されたビデオ信号入力端子１９１〜１９３が複数である場合に、選択画像情報が生成されるため、ビデオ信号Ｓ１〜Ｓ３が入力されているビデオ信号入力端子１９１〜１９３が変化していると判定され、且つ、ビデオ信号Ｓ１〜Ｓ３が入力されていると判定されたビデオ信号入力端子１９１〜１９３が複数である場合に、ユーザが視聴を所望する映像を簡単且つ的確にディスプレイ１８３に出力することができる。
【００８８】
すなわち、ビデオ信号Ｓ１〜Ｓ３が入力されているビデオ信号入力端子１９１〜１９３が変化していると判定され、且つ、ビデオ信号Ｓ１〜Ｓ３が入力されていると判定されたビデオ信号入力端子１９１〜１９３が複数である場合には、ビデオ信号Ｓ１〜Ｓ３が入力されていると判定された複数のビデオ信号入力端子１９１〜１９３の中から、ディスプレイ１８３に出力するビデオ信号入力端子１９１〜１９３を選択する必要があるため、この場合にも、ユーザが視聴を所望する映像を簡単且つ的確にディスプレイ１８３に出力することができるのである。
【００８９】
また、ビデオ信号Ｓ１〜Ｓ３が入力されていると判定されたビデオ信号入力端子１９１〜１９３の識別情報が、格納されたビデオ信号入力端子１９１〜１９３の識別情報と一致していない（＝ビデオ信号Ｓ１〜Ｓ３が入力されているビデオ信号入力端子１９１〜１９３が変化している）と判定され、且つ、ビデオ信号Ｓ１〜Ｓ３が入力されていると判定されたビデオ信号入力端子１９１〜１９３が１つである場合に、ビデオ信号Ｓ１〜Ｓ３が入力されていると判定されたビデオ信号入力端子１９１〜１９３から入力されたビデオ信号Ｓ１〜Ｓ３に対応する映像がディスプレイ１８３に出力されるため、ユーザが視聴を所望する映像を簡単且つ的確にディスプレイ１８３に出力することができる。
【００９０】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。
【００９１】
（Ｂ）本実施形態では、選択画像生成部１１４が、入力判定部１１１によってビデオ信号が入力されていると判定されたビデオ信号入力端子１９１〜１９３から入力されるビデオ信号Ｓ１〜Ｓ３に対応する複数の画像情報を含み、１の画像としてディスプレイ１８３に表示する選択画像情報を生成する場合について説明したが、選択画像生成部１１４が、入力判定部１１１によってビデオ信号が入力されていると判定されたビデオ信号入力端子１９１〜１９３から入力されるビデオ信号Ｓ１〜Ｓ３に対応する画像情報と、テレビジョン放送に対応する画像情報と、を含み、１の画像としてディスプレイ１８３に表示する選択画像情報を生成する形態でもよい。
【００９２】
この場合には、ビデオ信号Ｓ１〜Ｓ３が入力されている場合にも、ディスプレイ１８３に表示された選択画像情報を介して、テレビジョン放送に対応する映像をディスプレイ１８３に表示することが可能となる。
【００９３】
（Ｃ）本実施形態では、入力判定部１１１が、予め設定された所定時間（例えば、１０秒）毎に、ビデオ信号Ｓ１〜Ｓ３が入力されているか否かを判定する場合について説明したが、入力判定部１１１が、予め設定された所定のタイミングで、ビデオ信号Ｓ１〜Ｓ３が入力されているか否かを判定する形態でもよい。例えば、入力判定部１１１が、デジタル放送受信機１の電源が投入された場合、及び、デジタル放送受信機１がスタンバイ状態から復帰された場合の少なくとも一方の場合に、ビデオ信号Ｓ１〜Ｓ３が入力されているか否かを判定する形態でもよい。
【００９４】
（Ｄ）本実施形態では、インターフェイス部１９が、３個のビデオ信号入力端子１９１〜１９３を備える場合について説明したが、インターフェイス部１９が、２以上の所定数のビデオ信号入力端子を備える形態であればよい。例えば、インターフェイス部１９が、２個のビデオ信号入力端子を備える形態でもよいし、４個以上のビデオ信号入力端子を備える形態でもよい。
【００９５】
（Ｅ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９６】
（Ｆ）本実施形態では、候補設定部１１６及び入力選択部１１７が、リモコン２を介してユーザからの操作を受け付ける場合について説明したが、候補設定部１１６及び入力選択部１１７の少なくとも一方が、操作部１４を介してユーザからの操作を受け付ける形態でもよい。
【図面の簡単な説明】
【００９７】
【図１】は、本発明に係るデジタル放送受信機の接続状態の一例を示す構成図である。
【図２】は、デジタル放送受信機の構成の一例を示すブロック図である。
【図３】は、図２に示すインターフェイス部の構成の一例を示すブロック図である。
【図４】は、本発明に係るデジタル放送受信機の主要部の構成の一例を示すブロック図である。
【図５】は、デジタル放送受信機（主にＭＰＵ）の動作の一例を示すフローチャートである。
【図６】は、選択画像生成部によって生成される選択画像情報に対応する選択画像が表示された選択画像表示画面の一例を示す画面図である。
【符号の説明】
【００９８】
１    デジタル放送受信機（放送受信装置）
１１    ＭＰＵ
１１１    入力判定部（入力判定手段）
１１２    変化判定部（変化判定手段）
１１３    更新部（更新手段）
１１４    選択画像生成部（選択画像生成手段）
１１５    画像表示部（画像表示手段）
１１６    候補設定部（候補設定手段の一部）
１１７    入力選択部（入力選択手段の一部）
１１８    表示切換部（表示切換手段の一部）
１２    ＲＡＭ
１２１    入力記憶部
１８    画像出力部
１８３    ディスプレイ
１９    インターフェイス部
１９１〜１９３    ビデオ信号入力端子
１９４    入力切換回路（表示切換手段の一部）
２    リモコン（候補設定手段の一部、入力選択手段の一部）
３    外部装置
【図１】
2008131431.tif 000003
【図２】
2008131431.tif 000004
【図３】
2008131431.tif 000005
【図４】
2008131431.tif 000006
【図５】
2008131431.tif 000007
【図６】
2008131431.tif 000008